(57)【要約】【課題】所定の巻き付け数で試験用巻き線を予め束ねることにより、電力ケーブルの通った貫通型ＣＴに、極力少ない回数で巻き付け、これにより狭隘な場所でも、迅速に且つ安全に巻き付けることが出来る貫通型変流器の試験用巻き線及び巻き付け方法を提供する。【解決手段】貫通型変流器ＣＴ１の試験用の電流発生装置４から導出し、貫通型変流器ＣＴ１の貫通孔１ａに巻き付けて前記試験用の電流発生装置４に戻す、両端に接続端子を有する試験用巻き線５において、当該試験用巻き線５を、前記貫通型変流器ＣＴ１の貫通孔１ａに少なくとも１回巻き回す長さを有し、両端に接続端子１５ａを有する複数の短巻き線１５から構成し、これらの短巻き線１５の前記各接続端子１５ａは相互に接続自在かつ前記電流発生装置４の端子に接続自在とし、これらの複数の短巻き線１５を予め束ねた。【選択図】      図１
2015184003.tif 000002
【特許請求の範囲】
【請求項１】
貫通型変流器の試験用の電流発生装置から導出し、貫通型変流器の貫通孔に巻き付けて前記試験用の電流発生装置に戻す、両端に接続端子を有する試験用巻き線において、
当該試験用巻き線を、前記貫通型変流器の貫通孔に少なくとも１回巻き回す長さを有し、両端に接続端子を有する複数の短巻き線から構成し、これらの短巻き線の前記各接続端子は相互に接続自在かつ前記電流発生装置の端子に接続自在とし、これらの複数の短巻き線を予め束ねたことを特徴とする、貫通型変流器の試験用巻き線。
【請求項２】
複数の短巻き線を一定間隔で結束具により束ねたことを特徴とする、請求項１に記載の貫通型変流器の試験用巻き線。
【請求項３】
貫通型変流器の試験用の電流発生装置から導出し、貫通型変流器の貫通孔に巻き付けて前記試験用の電流発生装置に戻す、両端に接続端子を有する試験用巻き線において、
当該試験用巻き線を所定回数巻き付けた状態で束ね、束ねた一箇所の各電線を切断し、各切断端を接続自在な１組の雄型コネクター及び雌型コネクターで接続したことを特徴とする、貫通型変流器の試験用巻き線。
【請求項４】
前記雄型コネクターと雌型コネクターとを区別する表示を夫々に施したことを特徴とする、請求項３に記載の貫通型変流器の試験用巻き線。
【請求項５】
前記所定数回巻き付けた状態の試験用巻き線を、一定間隔で結束具により束ねたことを特徴とする、請求項３又は４のいずれかに記載の貫通型変流器の試験用巻き線。
【請求項６】
前記一体型の雌型コネクター又は雌型コネクターのいずれかに、切換スイッチを設け、当該切換スイッチは前記所定数回巻き付けた巻き付け回数を選択できる構成としたことを特徴とする、請求項３〜５のいずれかに記載の貫通型変流器の試験用巻き線。
【発明の詳細な説明】
【技術分野】
【０００１】
この発明は、変電所や一般需要家などの受変電設備に設けられた貫通型の変流器の試験を行う際に使用する試験用巻き線に関するものである。
【背景技術】
【０００２】
従来、前記受変電設備において前記貫通型変流器の変流比試験や１次試験等の試験を行う際は、別途、電流発生装置を用意し、当該電流発生装置から導出した試験用巻き線を貫通型変流器に数十回巻き付けて、当該巻き線に電流を印加し、前記変流器の二次側に変流比分の電流を出力させることで、変流比の確認や二次側での継電器の動作を確認する試験を行っている（特許文献１）。
【０００３】
前記変流比試験は、例えば、変流比が６００／１の場合には、１次側に１５０Ａ流し、２次側に２５０ｍＡ流れることを確認する。また、前記１次試験は、例えば、地絡方向継電器（円盤型）の制定値が１２０Ａの場合、最小動作測定で１２０Ａ、位相特性試験で２４０Ａ流し、継電器の動作を確認するものである。
【先行技術文献】
【特許文献】
【０００４】
【特許文献１】特開平０７−３３３２６３号公報
【発明の開示】
【発明が解決しようとする課題】
【０００５】
しかしながら、貫通型変流器の試験を行う際は、図１０に示すように、ドーナツ状のＣＴ１を電力ケーブル２が貫通しているため、現状では毎回、図１１に示すように、電力ケーブル２とＣＴ１の間の狭隘な隙間を数十回にわたり試験用巻き線５を通し、試験用巻き線５をＣＴ１の貫通孔１ａに巻き付ける必要がある。なお、貫通型変流器ＣＴ１に試験用巻き線を数十回巻き付けるのは、１０回巻き付ければ、試験で流す電流は、１０分の１で済み、２０回巻き付ければ２０分の１で済むためである。従って、数十回にわたり試験用巻き線５をＣＴ１に巻き付けるには、試験準備に時間を要するばかりでなく、設備の損傷や巻き付回数を間違える誤巻き付け等のリスクがある。
【０００６】
そこで、この発明は、この様な現状を改善するため、所定の巻き付け数で試験用巻き線を予め束ねておき、電力ケーブルの通った貫通型変流器に、極力少ない巻き付け回数で巻き付け、これにより狭隘な場所でも、迅速に且つ安全に巻き付けることが出来る貫通型変流器の試験用巻き線を提供することを目的としたものである。
【課題を解決するための手段】
【０００７】
請求項１の発明は、貫通型変流器の試験用の電流発生装置から導出し、貫通型変流器の貫通孔に巻き付けて前記試験用の電流発生装置に戻す、両端に接続端子を有する試験用巻き線において、当該試験用巻き線を、前記貫通型変流器の貫通孔に少なくとも１回巻き回す長さを有し、両端に接続端子を有する複数の短巻き線から構成し、これらの短巻き線の前記各接続端子は相互に接続自在かつ前記電流発生装置の端子に接続自在とし、これらの複数の短巻き線を予め束ねた、貫通型変流器の試験用巻き線とした。
【０００８】
請求項２の発明は、複数の短巻き線を一定間隔で結束具により束ねた、請求項１に記載の貫通型変流器の試験用巻き線とした。
【０００９】
請求項３の発明は、貫通型変流器の試験用の電流発生装置から導出し、貫通型変流器の貫通孔に巻き付けて前記試験用の電流発生装置に戻す、両端に接続端子を有する試験用巻き線において、当該試験用巻き線を所定回数巻き付けた状態で束ね、束ねた一箇所の各電線を切断し、各切断端を接続自在な１組の雄型コネクター及び雌型コネクターで接続した、貫通型変流器の試験用巻き線とした。
【００１０】
請求項４の発明は、前記雄型コネクターと雌型コネクターとを区別する表示を夫々に施した、請求項３に記載の貫通型変流器の試験用巻き線とした。
【００１１】
請求項５の発明は、前記所定数回巻き付けた状態の試験用巻き線を、一定間隔で結束具により束ねた、請求項３又は４のいずれかに記載の貫通型変流器の試験用巻き線とした。
【００１２】
請求項６の発明は、前記一体型の雌型コネクター又は雌型コネクターのいずれかに、切換スイッチを設け、当該切換スイッチは前記所定数回巻き付けた巻き付け回数を選択できる構成とした、請求項３〜５のいずれかに記載の貫通型変流器の試験用巻き線とした。
【発明の効果】
【００１３】
請求項１の発明によれば、例えば、試験用巻き線が、１０本の短巻き線を予め束ねたものの場合、貫通型変流器の貫通孔に一度通し、その後各短巻き線を接続端子で相互に接続し、当該試験用巻き線の両端となる短巻き線の接続端子を試験用の電流発生装置の各端子に接続すれば試験準備作業は整う。この場合、貫通型変流器に当該試験用巻き線を１回巻き付ければ、１０回巻き付けたことと同様になる。そして、この様に、１０本の巻き線を予め束ねた物であれば、電流発生装置で１０Ａを出力すると、変流器の貫通孔には１００Ａの電流が流れたこととなり、変流比が１００／１であれば、当該変流器の二次側の継電器等では、１Ａを確認することが出来る。
【００１４】
また、当該貫通型変流器の容量に合わせて、試験用巻き線を構成する短巻き線の本数を増減出来、その場合にも必要巻き回数の短巻き線を所定本数用意し、これらを予め束ねておけば、貫通型変流器の貫通孔には、１回又は数回通せば良い。
【００１５】
従って、試験用巻き線が多数本の短巻き線を束にしたものであれば、貫通型変流器の貫通孔に通す回数は少なくてよく、電力ケーブルが通った変流器の貫通孔のような狭隘な場所でも迅速、かつ安全に試験用巻き線を通すことが出来る。この様に試験用巻き線を変流器の貫通孔に通す回数を減らすことが出来るため、試験準備作業に必要な時間を短縮できる。
【００１６】
また、請求項２の発明によれば、試験用巻き線を構成する複数の短巻き線を一定間隔で結束具により束ねたことにより、試験用巻き線が一つに束ねられ、その状態が一本の電線の状態であるため、変流器の貫通孔への挿入等の作業が極めて容易である
【００１７】
また、請求項３の発明によれば、前記試験用巻き線を１組の雄型コネクターと雌型コネクターとで接続自在に構成しているため、貫通型変流器の貫通孔に試験用巻き線を巻き付ける場合に、雄型コネクターと雌型コネクターを一端外し、貫通孔に試験用巻き線を通してから接続すればよく、貫通孔への巻き付け作業は容易となる。また、これに使用する雄型コネクター及び雌型コネクターは汎用品を用いることが出来、費用対効果にも優れている。また、この様に試験用巻き線を変流器の貫通孔に通す回数を減らすことが出来るため、試験準備作業に必要な時間を短縮できる。
【００１８】
また、請求項４の発明によれば、前記雄型コネクターと雌型コネクターとを区別する表示を夫々に施しているため、電流発生装置から導出した試験用巻き線の印加する極性を確認でき、試験用巻き線の誤接続を回避することが出来る。
【００１９】
また、請求項５の発明によれば、前記所定数回巻き付けた状態の試験用巻き線を、一定間隔で結束具により束ねたことにより、試験用巻き線が一つに束ねられ、その状態が一本の電線の状態であるため、変流器の貫通孔への挿入等の作業が極めて容易である。
【００２０】
また、請求項６の発明によれば、切換スイッチを操作することにより、容易に巻き付け回数を変化させることができるため、電流発生装置の出力電流に合わせて、巻き付け回数を調整することが出来き、試験作業が容易となる。
【図面の簡単な説明】
【００２１】
【図１】この発明の実施の形態例１の試験用巻き線の原理構成を示す斜視図である。
【図２】この発明の実施の形態例２の試験用巻き線を用いて試験をしている状態を示す概略構成図である。
【図３】この発明の実施の形態例２の試験用巻き線の原理構成を示す正面図である。
【図４】この発明の実施の形態例３の試験用巻き線における１ターン巻きの状態を示す概略構成図である。
【図５】図４の状態における切替スイッチの位置を示す正面図である。
【図６】この発明の実施の形態例３の試験用巻き線における３ターン巻きの状態を示す概略構成図である。
【図７】図６の状態における切替スイッチの位置を示す正面図である。
【図８】この発明の実施の形態例３の試験用巻き線における１０ターン巻きの状態を示す概略構成図である。
【図９】図８の状態における切替スイッチの位置を示す正面図である。
【図１０】従来の貫通型変流器の試験用巻き線を示す概略構成図である。
【図１１】従来の貫通型変流器の試験用巻き線を複数回巻き付けた概略構成図である。
【発明を実施するための形態】
【００２２】
（実施の形態例１）
以下、この発明の実施の形態例１の貫通型変流器の試験用巻き線５を図１に基づいて説明する。なお、当該試験装置は図１１に示すものと基本的には同じものを使用する。
【００２３】
この実施の形態例１では、当該試験用巻き線５を、図１に示すように、上記貫通型変流器ＣＴ１の貫通孔１ａに少なくとも１回巻き回す程度の長さを有し、両端に接続端子１５ａを有する複数の短巻き線１５から構成し、これらの短巻き線１５の前記各接続端子１５ａは相互に接続自在である。また、前記各接続端子１５ａは、試験用の電流発生装置４の端子線４ａ及び４ｂに接続自在とし、上記複数の短巻き線１５を予め束ねたものである。なお、図１では５本の短巻き線１５を用意しているが、これらは電流発生装置４の電流容量や貫通型変流器の容量によって増減する。
【００２４】
この試験用巻き線５の場合は、貫通型変流器ＣＴ１の貫通孔１ａに通す巻き線の巻き付け回数により、短巻き線１５の数を決定し、これらを予め結束具（図示は省略したが、図１の結束具と同じ）により、短巻き線１５の長手方向に間隔を空けて束ねておく。そして、当該一体となった試験用巻き線５を前記貫通孔１ａに通した後、各短巻き線１５の接続端子１５ａで各短巻き線５相互を接続し、１本の回線にし、その両端の接続端子１５ａ、１５ａを電流発生装置４の端子線４ａ及び４ｂに夫々接続する。これにより、試験準備が完了する。
【００２５】
なおこの実施の形態例１では、短巻き線１５の長さを貫通型変流器ＣＴ１の貫通孔１ａに少なくとも１回巻き回す程度の長さを有するものとしたが、これは前記貫通１ａに数回〜多数回巻き付ける長さのものを含むものである。
【００２６】
（実施の形態例２）
次に、この発明の実施の形態例２の貫通型変流器の試験用巻き線及びこの試験用巻き線を用いた巻き付け方法を含む試験装置の概略構成を図２及び図３に基づいて説明する。
【００２７】
図２に示すように、貫通型変流器ＣＴ１の貫通孔１ａには、電力ケーブル２が通っており、また、貫通型変流器ＣＴ１の二次側は継電器盤３に接続されている。この様なＣＴ１の変流比試験や１次試験を行うには、試験電流を発生させる電流発生装置４を別途設け、当該電流発生装置４から試験用巻き線５を導出し、当該試験用巻き線５を前記貫通型変流器ＣＴ１の貫通孔１ａに通して、再び電流発生装置４に戻している。当該電流発生装置４をオンにすることにより出力電流が発生し、これにより貫通型変流器ＣＴ１の二次側に電流が発生し、継電器盤３が正確に動作するか、また電流値を測定するなどして、上記試験を行う。
【００２８】
そこで、この発明では、図３に示すように、予め、試験用巻き線５を略円形に複数回巻き付けてこれを一つに束ねる。図では５回巻き付けているが、ここでは、１０回巻き付けたこととする。そして、束ねた巻き線５の一端を切断し、一方の複数の切断端５ａを１個の雄型コネクター６に接続し、他方の複数の切断端５ｂを１個の雌型コネクター７に接続する。また、前記雄型コネクター６には「Ｋ」、また、前記雌型コネクター７には「Ｌ」の表示を施している。
【００２９】
これらの雄型コネクター６と雌型コネクター７とは、雄型コネクター６の１０個のピン６ａを雌型コネクター７の１０個の穴７ａに接合することにより、各巻き線５が電気的に接続される構成となっている（ただし、図では５本のピンの表示）。従って、これらの雄型コネクター６及び雌型コネクター７を接続すると、前記電流発生装置４から導出された試験用巻き線５は１本の回線となり、当該電流発生装置４に戻る構成となる。また、前記束ねた試験用巻き線５は、略一定間隔で結束具８により、結束されている（図２参照）。
【００３０】
この試験用巻き線５を用いて貫通型変流器ＣＴ１の試験をするには、試験用巻き線５の雄型コネクター６および雌型コネクター７を外し、当該試験用巻き線５の両端の接続端子を電流発生装置４の端子に接続する。その際、雄型コネクター６が接続された試験用巻き線５の接続端子を電流発生装置４の電源側、又はプラス側の端子に接続し、雌型コネクター７が接続された試験用巻き線５の接続端子を電流発生装置４の負荷側、又はマイナス側の端子に夫々接続する。
【００３１】
その際、各コネクター６又は７の「Ｋ」又は「Ｌ」が目印となる。そして、雄型コネクター６又は雌型コネクター７を端部に有する試験用巻き線５を貫通型変流器ＣＴ１の貫通孔１ａに１回通して、貫通型変流器ＣＴ１の外で、雄型コネクター６及び雌型コネクター７を接続する。
【００３２】
その後、電流発生装置４をオンにし、例えば、１０Ａを出力する。上記試験用巻き線５は予め１０回巻きにしているため、当該試験用巻き線５には１００Ａが流れる。また、当該貫通型変流器ＣＴ１の変流比は１００／１とする。この場合は、継電器盤３では、１Ａの電流を計測すれば、当該貫通型変流器ＣＴ１は正常に作動することが確認出来る。
【００３３】
また、当該試験用巻き線５を貫通型変流器ＣＴ１の貫通孔１ａに３回巻き付ければ、電流発生装置４で１０Ａを発生させた場合、試験用巻き線５には３００Ａの電流が発生する。その際も試験用巻き線５は結束具８で束ねられているため、貫通型変流器ＣＴ１の狭い貫通孔にも容易に通すことが出来る。
【００３４】
なお、上記実施の形態例２では、一組の雄型コネクター６及び雌型コネクター７としているが、これに限らず、試験用巻き線５の各回線毎に雄型又は雌型コネクターを接続する構成でもよい。
【００３５】
（実施の形態例３）
図４〜図９はこの発明の実施の形態例３を示す。この実施の形態例３の試験用巻き線は、実施の形態例２の試験用巻き線とほぼ同じであるが、雌型コネクター７にダイヤル式の切替スイッチ９を設け、試験用巻き線５の巻き数を変更させることが出来る点が異なる。
【００３６】
この切替スイッチ９の下面には、切替スイッチ９の回転軸と同心円で円形導体部９ａが設けられ、この円形導体部９ａの一端から放射状に１本の直線導体部９ｂが設けられている。また、切替スイッチ９に対向する雌型コネクター７の表面には、前記直線導体部９ｂが接触可能に、切替スイッチ９と同軸円上に端子７１〜７１０が間隔を空けて設けられている。
【００３７】
また、雌型コネクター７の共通線５ｃの端子が、常時切替スイッチ９の前記円形導体部９ａに接触する構成となっている。さらに、切替スイッチ９の外側の雌型コネクター７の表面には、前記端子７１〜７１０に相応する箇所に、巻き付け回数を示す回数表示１〜１０が表示されている。
【００３８】
図４は、前記切替スイッチ９を使用することにより試験用巻き線５を貫通型変流器ＣＴ１の貫通孔１ａに１ターン巻きの状態を示す概略構成図であり、その時の前記切替スイッチ９の円形導体部９ａ及び直線導体部９ｂの位置を図５に示す。
【００３９】
ここでは切替スイッチ９の直線導体部９ｂを雌型コネクター７の回数表示１に回して合わせる。これにより前記直線導体部９ｂは雌型コメクター７の端子７１に接触する。そして試験用巻き線５は貫通型変流器ＣＴ１の貫通孔１ａに１回通した後、雄型コネクター６を介して雌型コネクター７に入り、雌型コネクター７の端子７１から切替スイッチ９の直線導体部９ｂを経て円形導体部９ａを通り、試験用巻き線５の共通線５ｃを通って電流発生装置４に戻る。
【００４０】
図６は、前記切替スイッチ９を使用することにより試験用巻き線５を貫通型変流器ＣＴ１の貫通孔１ａに３ターン巻きの状態を示す概略構成図であり、その時の前記切替スイッチ９の円形導体部９ａ及び直線導体部９ｂの位置を図７に示す。
【００４１】
ここでは切替スイッチ９の直線導体部９ｂを雌型コネクター７の回数表示３に回して合わせる。これにより前記直線導体部９ｂは雌型コネクター７の端子７３に接触する。そして試験用巻き線５は貫通型変流器ＣＴ１の貫通孔１ａに３回巻き通した後、雄型コネクター６を介して雌型コネクター７に入り、雌型コネクター７の端子７３から切替スイッチ９の直線導体部９ｂを経て円形導体部９ａを通り、試験用巻き線５の共通線５ｃを通って電流発生装置４に戻る。
【００４２】
図８は、前記切替スイッチ９を使用することにより試験用巻き線５を貫通型変流器ＣＴ１の貫通孔１ａに１０ターン巻きの状態を示す概略構成図であり、その時の前記切替スイッチ９の円形導体部９ａ及び直線導体部９ｂの位置を図９に示す。
【００４３】
ここでは、切替スイッチ９の直線導体部９ａを雌型コネクター７の回数表示１０に回して合わせる。これにより前記直線導体部９ｂは雌型コネクター７の端子７１０に接触する。そして試験用巻き線５は貫通型変流器ＣＴ１の貫通孔１ａに１０回巻き通した後、雄型コネクター６を介して雌型コネクター７に入り、雌型コネクター７の端子７１０から切替スイッチ９の直線導体部９ｂを経て円形導体部９ａを通り、試験用巻き線５の共通線５ｃを通って電流発生装置４に戻る。
【００４４】
上記雌型コネクター７の端子７１〜７１０、切替スイッチ９の円形導体部９ａ及び直線導体部９ｂは印加電流に耐えうる接点とするが、電流印加時には切替を禁止すべきである。また、接点容量は１０Ａ程度までとし、短絡、地絡のない構造とする。さらに、切替スイッチ９は、切替スイッチ９自体を手前に引っ張って回さなければ、回転しない構成とするなど、ロック機構付きであることが好ましい。
【００４５】
この様にして、貫通型変流器ＣＴ１の変流比や電流発生装置４の出力電流によって、試験用巻き線５の巻き回数を切り替えることが出来、試験作業が容易となる。
【符号の説明】
【００４６】
ＣＴ１  貫通型変流器              １ａ    貫通孔
２      電力ケーブル              ３      継電器盤
４      電流発生装置              ４ａ    端子線
４ｂ    端子線                    ５      試験用巻き線  
５ａ    切断端                    ５ｂ    切断端
５ｃ    共通線                    ６      雄型コネクター
６ａ    ピン                      ７      雌型コネクター
７ａ    孔                        ８      結束具
９      切替スイッチ              ９ａ    円形導電部
９ｂ    直線導電部                １５    短巻き線
１５ａ  接続端子                
７１〜７１０    端子              
【図１】
2015184003.tif 000003
【図２】
2015184003.tif 000004
【図３】
2015184003.tif 000005
【図４】
2015184003.tif 000006
【図５】
2015184003.tif 000007
【図６】
2015184003.tif 000008
【図７】
2015184003.tif 000009
【図８】
2015184003.tif 000010
【図９】
2015184003.tif 000011
【図１０】
2015184003.tif 000012
【図１１】
2015184003.tif 000013